(57)【要約】【課題】ヒューズの溶断確認が容易に行え、かつ、ヒューズの端子部に水や埃が掛かることを防止できる電気接続箱を提供する。【解決手段】電気接続箱は、ヒューズ６と、ヒューズ取付部４５が設けられた合成樹脂製のフレーム４と、フレーム４が収容される防水ケースを備えている。ヒューズ６は、本体部１３と、一対の端子部１１を有している。本体部１３は、一対の端子部１１同士を連結した可溶体１２と、この可溶体１２及び一対の端子部１１の端部を収容した透明のケース６０を有している。一対の端子部１１は、ケース６０から突出すると共に互いに離れる方向に延びている。ヒューズ取付部４５には、ケース６０の上面６０ａを露出させる開口部４６ａと、開口部４６ａの両側に配置され、一対の端子部１１の上面を覆う一対の覆い部４７が設けられている。ヒューズ６は、フレーム４の下面４ｂ側からヒューズ取付部４５に取り付けられる。【選択図】図３
2014103821.tif 000002
【特許請求の範囲】
【請求項１】
本体部と該本体部から突出すると共に互いに離れる方向に延びた一対の端子部を有するヒューズと、
前記ヒューズが取り付けられるフレームと、を備えた電気接続箱であって、
前記フレームに、前記本体部の上面を露出させる開口部と、前記開口部の両側に配置され、前記一対の端子部の上面を覆う一対の覆い部と、が設けられ、
前記ヒューズが前記フレームの下面側に取り付けられる
ことを特徴とする電気接続箱。
【請求項２】
前記一対の覆い部の下面側に、ボルトの頭部が取り付けられるボルト取付部が設けられ、
前記一対の端子部には、前記ボルトの軸部が通されるボルト通し孔が設けられている
ことを特徴とする請求項１に記載の電気接続箱。
【請求項３】
前記フレームに、前記開口部を有する筒部が設けられ、
前記本体部が、前記筒部内に位置付けられる
ことを特徴とする請求項１又は請求項２に記載の電気接続箱。
【発明の詳細な説明】
【技術分野】
【０００１】
本発明は、本体部と該本体部から突出すると共に互いに離れる方向に延びた一対の端子部を有するヒューズを備えた電気接続箱に関するものである。
【背景技術】
【０００２】
図１２は、ヒューズを備えた従来の電気接続箱の分解図である（特許文献１の図５を参照。）。同図に示すように、電気接続箱２６１は、ヒューズ２５１と、アッパケース２６２と、ロアケース２６３と、を備えている。
【０００３】
上記ヒューズ２５１は、本体部２５２と、一対の端子部２５３と、を有している。本体部２５２は、一対の端子部２５３同士を連結した可溶体と、この可溶体及び一対の端子部２５３の端部を収容した透明のケースと、と有している。また、一対の端子部２５３は、前記ケースの両側から互いに離れる方向に突出しており、それぞれにボルト挿通孔２５４が設けられている。
【０００４】
上記アッパケース２６２には、上方に開口し、ヒューズ２５１を収容可能な収容部２６４が設けられている。また、収容部２６４の底面には、ボルト挿通孔２５４に通されるボルト２６８が螺合する一対のナットが取り付けられている。また、収容部２６４の底面近辺には、前記ナットと対応する位置にボルト挿通孔が設けられた２枚のバスバが位置付けられている
【０００５】
上記ヒューズ２５１は、各端子部２５３が各バスバ上に重ねられた状態で収容部２６４内に収容される。そして、ヒューズ２５１は、端子部２５３のボルト挿通孔２５４及びバスバのボルト挿通孔を通されたボルト２６８がナットに螺合されることにより収容部２６４内に固定される。
【０００６】
このような電気接続箱２６１においては、アッパケース２６２に、上方に開口した収容部２６４が設けられているので、ヒューズ２５１の可溶体が溶断したか否かを容易に目視確認することができる。
【先行技術文献】
【特許文献】
【０００７】
【特許文献１】特開２０００−３３２４４６号公報
【発明の概要】
【発明が解決しようとする課題】
【０００８】
しかしながら、上述した電気接続箱２６１においては、アッパケース２６２に、常時開口した収容部２６４が設けられているがゆえに、端子部２５３に水や埃が掛かり易いという問題があった。また、端子部２５３に水や埃が掛かり易いと、端子部２５３が腐食し易く、好ましくなかった。また、端子部２５３が露出しているので、作業者が誤って触ってしまうという問題や、異物によるショートが発生するおそれがあるという問題があった。
【０００９】
したがって、本発明は、ヒューズの溶断確認が容易に行え、かつ、ヒューズの端子部に水や埃が掛かることを防止できる電気接続箱を提供することを目的とする。
【課題を解決するための手段】
【００１０】
上記目的を達成するために請求項１に記載された発明は、本体部と該本体部から突出すると共に互いに離れる方向に延びた一対の端子部を有するヒューズと、前記ヒューズが取り付けられるフレームと、を備えた電気接続箱であって、前記フレームに、前記本体部の上面を露出させる開口部と、前記開口部の両側に配置され、前記一対の端子部の上面を覆う一対の覆い部と、が設けられ、前記ヒューズが前記フレームの下面側に取り付けられることを特徴とする電気接続箱である。
【００１１】
請求項２に記載された発明は、請求項１に記載された発明において、前記一対の覆い部の下面側に、ボルトの頭部が取り付けられるボルト取付部が設けられ、前記一対の端子部には、前記ボルトの軸部が通されるボルト通し孔が設けられていることを特徴とするものである。
【００１２】
請求項３に記載された発明は、請求項１又は請求項２に記載された発明において、前記フレームに、前記開口部を有する筒部が設けられ、前記本体部が、前記筒部内に位置付けられることを特徴とするものである。
【発明の効果】
【００１３】
請求項１に記載された発明によれば、前記フレームに、前記本体部の上面を露出させる開口部と、前記開口部の両側に配置され、前記一対の端子部の上面を覆う一対の覆い部と、が設けられ、前記ヒューズが前記フレームの下面側に取り付けられるので、ヒューズの溶断確認が容易に行え、かつ、ヒューズの端子部に水や埃が掛かることを防止できる電気接続箱を提供することができる。
【００１４】
請求項２に記載された発明によれば、前記一対の覆い部の下面側に、ボルトの頭部が取り付けられるボルト取付部が設けられ、前記一対の端子部には、前記ボルトの軸部が通されるボルト通し孔が設けられているので、ボルト取付部にボルトの頭部を取り付け、このボルトの軸部を一対の端子部のボルト通し孔に通し、該軸部にナットを螺合させることにより、ヒューズをフレームに容易に取り付けることができる。
【００１５】
請求項３に記載された発明によれば、前記フレームに、前記開口部を有する筒部が設けられ、前記本体部が、前記筒部内に位置付けられるので、ヒューズの端子部に水や埃が掛かることをより一層防止できる。
【図面の簡単な説明】
【００１６】
【図１】本発明の一実施形態にかかる電気接続箱を示す斜視図である。
【図２】図１に示されたフレーム及び該フレームに取り付けられた部品を示す斜視図である。
【図３】図２中のＡ−Ａ線に沿った断面斜視図である。
【図４】図２中のＡ−Ａ線に沿った断面図である。
【図５】図２に示されたフレーム及び部品の分解図である。
【図６】図５に示されたフレームのみを示す斜視図である。
【図７】図６に示されたフレームにボルトが取り付けられた状態を示す斜視図である。
【図８】図７に示されたフレームにバスバが取り付けられた状態を示す斜視図である。
【図９】図８に示されたフレームにヒューズが取り付けられた状態を示す斜視図である。
【図１０】図９に示されたボルトにナットが螺合された状態を示す斜視図である。
【図１１】図１０に示されたフレームの上面側を示す斜視図である。
【図１２】従来の電気接続箱の分解図である。
【発明を実施するための形態】
【００１７】
本発明の一実施形態にかかる「電気接続箱」を図１〜１１を参照して説明する。本発明の電気接続箱は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００１８】
図１，３に示すように、上記電気接続箱１０は、ヒューズ（請求項の「ヒューズ」に相当し、ヒュージブルリンクとも呼ばれる。）６、一対のボルト７、一対のナット８、一対のバスバ５、図示しない複数のヒューズ及び複数の電線、等の複数の部品と、これら部品が取り付けられる合成樹脂製のフレーム４と、フレーム４が収容される防水ケース１と、を備えている。
【００１９】
上記ヒューズ６は、図３に示すように、本体部１３と、金属板で構成された一対の端子部１１と、を有している。本体部１３は、一対の端子部１１同士を連結した可溶体１２と、この可溶体１２及び一対の端子部１１の端部を収容した透明のケース６０と、を有している。可溶体１２は、導体で構成されており、過電流が流れた際に溶断する。ケース６０は、可溶体１２が溶断したか否かを目視可能なように、上面６０ａが透明の合成樹脂で構成されている。一対の端子部１１は、ケース６０の底面６０ｂから突出すると共に該底面６０ｂにおいて直角に曲げられ、互いに離れる方向に延びている。また、各端子部１１のケース６０外に位置付けられた部分には、ボルト７の軸部７２が通されるボルト通し孔１１ａが設けられている。
【００２０】
上記一対のバスバ５は、金属板にプレス加工等が施されて得られるものである。各バスバ５は、図５に示すように、平板状に形成され、ボルト７の軸部７２が通されるボルト通し孔５０ａが設けられた第１接続部５０と、第１接続部５０の端部において折り曲げられた係止片５１と、長方形板状に形成され、互いに間隔をあけて配置された複数の第２接続部５２と、第１接続部５０と複数の第２接続部５２とを連結した連結部５３と、を有している。
【００２１】
上記防水ケース１は、底壁２０と周壁２１とにより箱状に形成された本体ケース２と、本体ケース２の開口部を覆うカバー３と、を有している。前記周壁２１を構成する一つの壁には、開口部寄りの縁から底壁２０側に凹の切り欠き２３が形成されている。また、当該一つの壁からは、切り欠き２３の輪郭の一部に沿うように半円筒状の電線導出部構成部２４が突出している。この電線導出部構成部２４は、フレーム４に設けられた半円筒状の電線導出部構成部４４と合わせられて、円筒状の電線導出部９を構成する。この電線導出部９は、フレーム４に取り付けられた複数の電線（不図示）が通される。
【００２２】
上記フレーム４は、図２〜５に示すように、ブロック状のフレーム本体４０と、フレーム本体４０の側面に連なった上記電線導出部構成部４４と、が一体で設けられている。フレーム本体４０の上面４ａ側には、図示しないヒューズが取り付けられるヒューズ取付部４１が複数設けられている。フレーム本体４０の下面４ｂ側には、一対のバスバ挿入溝４２と、複数の電線取付部４３と、ヒューズ６が取り付けられるヒューズ取付部４５と、が設けられている。一対のバスバ挿入溝４２及び複数の電線取付部４３は、複数のヒューズ取付部４１の裏側に設けられている。また、フレーム本体４０の側面には、上記本体ケース２に係止する係止部４９が複数設けられている。
【００２３】
上述したバスバ５の各第２接続部５２は、上記バスバ挿入溝４２内に挿入されて、上記ヒューズ取付部４１に取り付けられた各ヒューズの一方の端子部に電気接続される。また、上述した複数の電線は、それぞれ、電線取付部４３内に挿入されて、上記ヒューズ取付部４１に取り付けられた各ヒューズの他方の端子部に電気接続される。
【００２４】
上記ヒューズ取付部４５は、図３，５に示すように、上面４ａ側に開口した開口部４６ａ及び下面４ｂ側に開口した開口部４６ｂを有する筒部４６と、筒部４６の両側に配置された一対の覆い部４７と、一対の覆い部４７の裏側すなわち下面４ｂ側に設けられた一対のボルト取付部４８と、で構成されている。ボルト取付部４８には、ボルト７の頭部７１が圧入により取り付けられる。また、筒部４６の内面には、バスバ５に係止する係止突起４６ｃが設けられている。
【００２５】
上述したバスバ５の第１接続部５０は、図３，４に示すように、覆い部４７の下面４ｂ側に位置付けられる。そして、該第１接続部５０のボルト通し孔５０ａに、ボルト取付部４８に圧入固定されたボルト７の軸部７２が通される。また、バスバ５の係止片５１は、筒部４６の内面に重ねられる。そして、該係止片５１に設けられた係止孔に、上記係止突起４６ｃが係止する。
【００２６】
上述したヒューズ６は、図３，４に示すように、本体部１３が筒部４６内に位置付けられ、一対の端子部１１が一対の覆い部４７の下面４ｂ側に位置付けられると共にボルト通し孔１１ａにボルト７の軸部７２が通されて、ヒューズ取付部４５に取り付けられる。また、第１接続部５０のボルト通し孔５０ａ及び端子部１１のボルト通し孔１１ａを通された軸部７２にナット８が螺合されることにより、ヒューズ６がヒューズ取付部４５に固定されると共に第１接続部５０と端子部１１とが重ねられて電気接続される。
【００２７】
また、ヒューズ６がヒューズ取付部４５に固定された状態では、ケース６０の上面６０ａが筒部４６の開口部４６ａからフレーム４の上面４ａ側に露出し、一対の端子部１１の上面が一対の覆い部４７により覆われる。
【００２８】
このような電気接続箱１０においては、フレーム４にケース６０の上面６０ａを露出させる開口部４６ａが設けられているので、カバー３を本体ケース２から外すことにより、ヒューズ６の可溶体１２が溶断したか否かを容易に目視確認することができる。また、電気接続箱１０においては、フレーム４に一対の端子部１１の上面を覆う一対の覆い部４７が設けられているので、一対の端子部１１に水や埃が掛かることを防止できる。さらに、電気接続箱１０においては、フレーム４に前記開口部４６ａを有する筒部４６が設けられているので、フレーム４の上面４ａに付着した水や埃が開口部４６ａを通って下面４ｂ側に移動することを防止でき、一対の端子部１１に水や埃が掛かることをより一層防止できる。
【００２９】
続いて、上記電気接続箱１０の組み立て手順を図６〜１１を参照して説明する。まず、図６に示すように、フレーム４の下面４ｂを上向きにして作業台等の上に置く。
【００３０】
次に、図７に示すように、ボルト７の頭部７１をボルト取付部４８に圧入して、一対のボルト７を一対のボルト取付部４８に取り付ける。
【００３１】
次に、図８に示すように、一対のバスバ５をフレーム４の下面４ｂ側に取り付ける。この際、第１接続部５０を覆い部４７の下面４ｂ側に位置付けてボルト７の軸部７２をボルト通し孔５０ａに通すと共に、係止片５１を係止突起４６ｃに係止させ、複数の第２接続部５２をバスバ挿入溝４２内に挿入するようにして取り付ける。
【００３２】
次に、図９に示すように、ヒューズ６をヒューズ取付部４５に取り付ける。この際、一対の端子部１１を一対の覆い部４７の下面４ｂ側に位置付けてボルト７の軸部７２をボルト通し孔１１ａに通すと共に、本体部１３を筒部４６内に位置付けるようにして取り付ける。また、この状態で、一対の端子部１１は、一対のバスバ５の各第１接続部５０と重なっている。
【００３３】
次に、図１０に示すように、一対のボルト７の軸部７２それぞれにナット８を螺合させ、ヒューズ６をヒューズ取付部４５に固定すると共に一対の端子部１１を一対のバスバ５の各第１接続部５０と電気接続する。このように、ヒューズ６は、一対のバスバ５同士を電気接続する。そして、これら一対のバスバ５間に過電流が流れた際に電流を遮断する。また、電気接続箱１０においては、一対の覆い部４７の下面４ｂ側に、ボルト７の頭部７１が取り付けられるボルト取付部４８が設けられているので、このようにヒューズ６をフレーム４に容易に取り付けることができる。
【００３４】
次に、端部に端子金具が取り付けられた複数の電線（不図示）を、それぞれ、電線取付部４３内に挿入する。
【００３５】
次に、図１１に示すように、フレーム４の上面４ａを上向きにして作業台等の上に置き、複数のヒューズ（不図示）を、それぞれ、ヒューズ取付部４１に取り付ける。
【００３６】
次に、フレーム４を本体ケース２内に収容する。この際、電線取付部４３外に位置付けられた複数の電線を電線導出部構成部２４と電線導出部構成部４４の間に位置付けるようにしてフレーム４を本体ケース２内に収容する。また、フレーム４が本体ケース２に完全に取り付けられることにより、電線導出部構成部２４，４４は円筒状の電線導出部９を構成する。このことにより、前記複数の電線は、電線導出部９から本体ケース２外に導出される格好となる。
【００３７】
最後にカバー３を本体ケース２に取り付けることにより、電気接続箱１０の組み立てが完了する。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
４  フレーム
６  ヒューズ
７  ボルト
１０  電気接続箱
１１  端子部
１１ａ  ボルト通し孔
４６  筒部
４６ａ  開口部
４７  覆い部
４８  ボルト取付部
６０  本体部
７１  頭部
７２  軸部
【図１】
2014103821.tif 000003
【図２】
2014103821.tif 000004
【図３】
2014103821.tif 000005
【図４】
2014103821.tif 000006
【図５】
2014103821.tif 000007
【図６】
2014103821.tif 000008
【図７】
2014103821.tif 000009
【図８】
2014103821.tif 000010
【図９】
2014103821.tif 000011
【図１０】
2014103821.tif 000012
【図１１】
2014103821.tif 000013
【図１２】
2014103821.tif 000014